(57)【特許請求の範囲】
【請求項１】
ディスクを載置して回転させるディスクテーブルと、
前記ディスクテーブルと協働して前記ディスクを圧着挟持するクランパとを備えたディスク用クランプ装置において、
前記ディスクテーブルまたは前記クランパは、前記ディスクを挟持する面に固着された被膜を備え、
前記被膜は、粘弾性を有する複数個の微小粒および合成樹脂の混合体で構成され、前記微小粒の少なくとも一部は、前記被膜の外表面の前記合成樹脂から露出して、該被膜の外表面に複数の凸部を形成し、前記クランパにより圧着挟持する際に該凸部がつぶれることによって前記ディスクをクランプすることを特徴とするディスク用クランプ装置。
【発明の詳細な説明】
【０００１】
【産業上の利用分野】
本発明は、光ディスクや光磁気ディスク、磁気ディスクなどのディスクを狭持し回転させるためのディスク用クランプ装置に関するものである。
【０００２】
【従来の技術】
従来、この種のディスク用クランプ装置として、図４に示すものがあった。図４において４０１はコンパクトディスクで、４０１ａはその情報記録面、４０１ｂはセンターホールである。４０２はコンパクトディスク４０１を載置するディスクテーブルであり、金属または合成樹脂またはこれらを組み合わせた材質で形成されている。またディスクテーブル４０２の外径は、情報記録面４０１ａの情報記録部内周より若干小さい径に設定してあり、その中央にはセンターホール４０１ｂに嵌合してコンパクトディスク４０１を位置決めする円錐台部４０２ａが突設されている。そしてこのディスクテーブル４０２は図示しないモータの回転軸４０３に固定されている。また、ディスクテーブル４０２と載置したコンパクトディスク４０１とが当接する部分には被膜４０２ｂが固着されている。
【０００３】
被膜４０２ｂは粘弾性を有する軟質の合成樹脂からなり、６０μｍ程度の一定の膜厚を有している。
【０００４】
４０４はコンパクトディスク４０１をディスクテーブル４０２に圧着するためのクランパであり、金属または合成樹脂またはこれらを組み合わせた材質で形成されている。またクランパ４０４の上面中央には剛性を有したボール４０５が回転自在に配置されており、その下面には上記円錐台部４０２ａの中央に形成された逆円錐凹部に嵌合自在な逆円錐突起部４０４ａが突設され、クランパ４０４の外周にはフランジ部４０４ｂが形成されている。
【０００５】
４０６はクランパホルダで、その一端はピン４０７により回転自在に枢着されている。また、クランパホルダ４０６の他端にはフランジ部４０４ｂと係合自在なフック４０６ａが形成されている。なおクランパホルダ４０６は図示しないディスクプレーヤの他の機構により回動して、クランパ４０４を開閉するように構成されている。
【０００６】
ここで、コンパクトディスク４０１を演奏する場合は、クランパホルダ４０６が図示しないディスクプレーヤの他の機構により、ボール４０５を介して所定の応力でクランパ４０４を付勢するため、クランパ４０４はディスクテーブル４０２と協働してコンパクトディスク４０１を圧着挟持している。
【０００７】
このためディスクテーブル４０２が回転すると、被膜４０２ｂの摩擦によりコンパクトディスク４０１のスリップを防止し、ディスクテーブル４０２、コンパクトディスク４０１、クランパ４０４は一体となって回転する。また被膜４０２ｂが粘弾性を有する軟質の合成樹脂からなるため、回転軸４０３やクランパホルダ４０６を介して伝達される外乱による機械振動を制振している。
【０００８】
このように、ディスクテーブル４０２に粘弾性を有する被膜４０２ｂが固着されていることから、ディスクプレーヤの演奏時において、コンパクトディスク４０１の回転制御を安定させている。
【０００９】
また、コンパクトディスク４０１の演奏を終了または中断、中止してクランプ解除する場合には、図示しないディスクプレーヤの他の機構により、クランパ４０４のフランジ部４０４ｂをフック４０６ａに引っ掛けてクランパ４０４をコンパクトディスク４０１から離反させて、コンパクトディスク４０１の圧着挟持を解いている。
【００１０】
図５は、図４に示すＢ部を拡大した詳細図である。図中５０１（太線の部分）は、コンパクトディスク４０１がディスクテーブル４０２に載置されてクランプされた場合に、被膜４０２ｂがその外表面全体にわたって、コンパクトディスク４０１と接している当接面である。
【００１１】
従来は上記のように構成されており、被膜４０２ｂは、その粘弾性でコンパクトディスク４０１の演奏時においてはコンパクトディスク４０１とディスクテーブル４０２がスリップするのを防止し、かつコンパクトディスク４０１に加わる外乱による機械振動を制振する役割を有するとともに、クランプ解除した場合には、コンパクトディスク４０１をディスクテーブル４０２から外すことができるようにしていた。
【００１２】
【発明が解決しようとする課題】
しかし、コンパクトディスク４０１の演奏が長時間に及んだり、コンパクトディスク４０１を載置またはクランプしたまま放置したりすると、コンパクトディスク４０１の自重やクランパ４０４の圧着力により、被膜４０２ｂがコンパクトディスク４０１に貼りついてしまって、コンパクトディスク４０１がディスクテーブル４０２から容易にはがれなくなる場合がある。
【００１３】
とくに高温の環境下では、被膜４０２ｂが温度上昇とともに軟化してコンパクトディスク４０１への粘着度を増し、高湿度の環境下では、水分が被膜４０２ｂとコンパクトディスク４０１が接触している境界部分の隙間を充当して、実質的に接触する面積を増やして密着度を増してしまう。
【００１４】
このため、コンパクトディスク４０１を取り出したり、交換したりする際に、コンパクトディスク４０１、クランパ４０４、ディスクテーブル４０２を破損したり、クランパ４０４、ディスクテーブル４０２から被膜がはがれる、あるいはディスクプレーヤが誤動作してしまうという欠点があった。
【００１５】
本発明は上記問題点に鑑みてなされたものであり、ディスクプレーヤが様々な環境下におかれても、演奏時には、コンパクトディスクとディスクテーブルがスリップするのを防止し、かつクランプ解除した場合には、コンパクトディスクをディスクテーブルから容易に遊離させることのできる被膜を備えたディスク用クランプ装置を提供することを目的とする。
【００１６】
【課題を解決するための手段】
請求項１の発明は上記目的を達成するために、ディスクを載置して回転させるディスクテーブルと、前記ディスクテーブルと協働して前記ディスクを圧着挟持するクランパとを備えたディスク用クランプ装置において、前記ディスクテーブルまたは前記クランパは、前記ディスクを挟持する面に固着された被膜を備え、前記被膜は、粘弾性を有する複数個の微小粒および合成樹脂の混合体で構成され、前記微小粒の少なくとも一部は、前記被膜の外表面の前記合成樹脂から露出して、該被膜の外表面に複数の凸部を形成し、前記クランパにより圧着挟持する際に該凸部がつぶれることによって前記ディスクをクランプすることを特徴とするディスク用クランプ装置。
【００１７】
【作用】
本発明は、以上のように構成したので、ディスクプレーヤが様々な環境下におかれ、コンパクトディスクを長時間ディスクテーブルに載置したり、コンパクトディスクの演奏が長時間に及んだり、コンパクトディスクをクランプしたまま放置したりしても、コンパクトディスクがクランプ解除される場合は、圧着され、つぶされてコンパクトディスクと接触していた複数の凸部はクランプされる前の凸部形状に復帰するため、被膜がコンパクトディスクに貼りつくことがなく、コンパクトディスク４０１をディスクテーブル４０２から容易に遊離させることができるため、コンパクトディスク、クランパの破損や被膜のはがれを防止することができる。また、ディスクプレーヤの誤動作を防ぐことができる。
【００１８】
【実施例】
つぎに、本発明の一実施例を図１乃至図３に基づいて以下に説明するが図４について上述した従来のものと同等の部分には同一の符号を付してある。
【００１９】
図１は本発明における被膜がディスクテーブルに固着された状態を示す断面図である。図中１０１は被膜である。被膜１０１は、ディスクテーブル４０２にコンパクトディスク４０１が載置される面に合成樹脂塗料を吹き付けまたは塗布または電着塗装し乾燥または焼き付けした合成樹脂の被膜である。
【００２０】
また図２は、図１に示すＡ部を拡大した詳細図である。図中２０１は微小粒であり、１０μｍ〜５０μｍ程度の粒径範囲で分散し、粘弾性を有するウレタン樹脂である。また、２０２は粘弾性を有するウレタン樹脂からなる合成樹脂である。
【００２１】
被膜１０１は、合成樹脂に相当量の微小粒２０１を混入させて、均一に混合されるように十分撹拌し、ディスクテーブル４０２のコンパクトディスク４０１が載置される面に吹付け塗装し、乾燥させて固着させたものである。
【００２２】
被膜１０１の合成樹脂２０２の膜厚は２０〜６０μｍ程度の膜厚から選択され、具体的には微小粒２０１の粒径によって決定される。例えば微小粒２０１が約１０μｍの粒径であった場合はおよそ２０μｍ程度にすることが好ましく、ディスクプレーヤのディスククランプ装置が通常の開閉動作をした場合に、微小粒２０１がその粘着力でコンパクトディスク４０１に付着しない程度となっている。したがって、合成樹脂２０２は微小粒２０１を保持するバインダの役割も有している。なお、微小粒の大きさは均一でなくても良く、その場合膜厚は微小粒径の最大値によって決定される。
【００２３】
以上のことから、被膜１０１の下層の微小粒２０１は合成樹脂２０２に埋もれているが、表面の微小粒２０１はその一部が外表面の合成樹脂２０２から露出して、被膜１０１の外表面に複数の凸部を形成している。
【００２４】
次に、被膜１０１が固着されたディスクテーブル４０２とクランパ４０４が協働してコンパクトディスク４０１を圧着狭持して、被膜１０１の外表面に形成された複数の凸部に作用する場合について述べる。
【００２５】
まず、被膜１０１が固着されたディスクテーブル４０２にコンパクトディスク４０１を載置すると、コンパクトディスク４０１は被膜１０１の外表面に形成された複数の凸部の一部と当接する。
【００２６】
当接する複数の凸部は、コンパクトディスク４０１の自重が加わって若干つぶされることによって、コンパクトディスク４０１と平行で微小の面積を有する複数のスポット面を形成する。
【００２７】
次に、コンパクトディスク４０１がクランパ４０４によって圧着されると、当接する複数の凸部はさらにつぶされて、スポット面はその面積を増して複数の当接面を形成する。
【００２８】
図３は、本発明における被膜１０１がコンパクトディスク４０１のクランプ時において、コンパクトディスク面に圧着される様子を示した断面図である。
【００２９】
図中３０１（太線の部分）は、コンパクトディスク４０１がディスクテーブル４０２に載置されてクランプされた場合に、図２における被膜１０１の外表面の複数の凸部が圧着され、つぶされて、コンパクトディスク４０１と接触する当接面である。
【００３０】
当接面３０１はコンパクトディスク４０１のクランプ時には、被膜１０１の外表面全体にわたって複数存在するが、その面積は従来の被膜４０２ｂがコンパクトディスク４０１と当接する面積に比べて極めて小さいものとなり、密着度を大幅に減少させることができる。
【００３１】
なお、被膜１０１は粘弾性を有しているため、コンパクトディスク４０１がクランプ解除されて被膜１０１から遊離した場合は、圧着され、つぶされてコンパクトディスク４０１と接触していた複数の凸部は、コンパクトディスク４０１がクランプされる前の凸部形状に復帰する。
【００３２】
次に、本発明における被膜１０１が固着されたディスクテーブル４０２を用いて種々の環境下においてコンパクトディスクを所定時間クランプした後に、クランプ解除してコンパクトディスクが被膜１０１に張り付くか否かを従来の被膜４０２ｂが固着されたディスクテーブル４０２を用いた場合と比較実験した結果を下記の表１に示す。なお表１では被膜４０２ｂはサンコートＧＲ＃３０５ＲＦ（サンエス潤滑（株）製）を、被膜１０１はデフリックコートＦＣＳ−５（（株）川邑研究所製）を用いている。
【００３３】
【表１】
0003591666.tif 000002
【００３４】
上記表１よりわかるように本発明における被膜１０１は高温、高湿、サーマルいずれの環境下においてもコンパクトディスクへの張り付きはなく、従来の被膜４０２ｂとの優位差は明白である。
【００３５】
なお本実施例では、水平に設けられたディスクテーブルにコンパクトディスクを載置して、狭持するディスククランプ装置として説明したが、コンパクトディスクを垂直に狭持するディスククランプ装置に用いてもよい。
【００３６】
また、被膜は、ディスクテーブルに固着されたものとして説明したが、クランパのコンパクトディスクを狭持する面に固着された場合も同様の効果を得ることができる。
【００３７】
また、被膜は、ディスクテーブルがコンパクトディスクを狭持する面に合成樹脂塗料を吹き付けたものとして説明したが、合成樹脂塗料を塗布または電着塗装して得られたものであってもよいし、さらには、ディスクテーブルを合成樹脂塗料に浸して得られたものであってもよい。
【００３８】
また、合成樹脂塗料はウレタン樹脂の塗料として説明したが、被膜として用いた場合、粘弾性を有する軟質の材料であれば揮発性の溶剤を混合させたものであってもよいし、熱硬化性のものであってもよい。
【００３９】
また、微小粒はウレタン樹脂として説明したが、粘弾性を有する材料であればすべて適用される。
【００４０】
さらに、微小粒は中空で構成されていてもよいし、その輪郭形状は球形に限らず、本発明における複数の凸部が形成されれば不均一であってもよい。
【００４１】
【発明の効果】
本発明は以上のように構成したため、ディスクプレーヤが様々な環境下において、コンパクトディスクを長時間ディスクテーブルに載置したり、コンパクトディスクの演奏が長時間に及んだり、コンパクトディスクをクランプしたまま放置したりしても被膜がコンパクトディスクに貼りつくことがないため、コンパクトディスクをディスクテーブルまたはクランパから容易に遊離させることができるので、コンパクトディスクを取り出したり、交換したりする際に、コンパクトディスク、クランパ、ディスクテーブルを破損したり、クランパ、ディスクテーブルの被膜がはがれたり、ディスクプレーヤが誤動作することのないディスク用クランプ装置を実現することができる。
【図面の簡単な説明】
【図１】本発明における被膜がディスクテーブルに固着された状態を示す断面図である。
【図２】図１に示すＡ部を拡大した詳細図である。
【図３】本発明における被膜がコンパクトディスクのクランプ時において、コンパクトディスク面に圧着される様子を示した断面図である。
【図４】従来におけるディスク用クランプ装置を示した図である。
【図５】図４に示すＡ部を拡大した詳細図である。
【符号の説明】
１０１・・・・被膜
２０１・・・・微小粒
２０２・・・・合成樹脂
３０１・・・・当接面
４０１・・・・コンパクトディスク
４０１ａ・・・情報記録面
４０１ｂ・・・センターホール
４０２・・・・ディスクテーブル
４０２ａ・・・円錐台部
４０２ｂ・・・被膜
４０３・・・・回転軸
４０４・・・・クランパ
４０４ａ・・・逆円錐突起部
４０４ｂ・・・フランジ部
４０５・・・・ボール
４０６・・・・クランパホルダ
４０７・・・・ピン
５０１・・・・当接面
【図１】
0003591666.tif 000003
【図２】
0003591666.tif 000004
【図３】
0003591666.tif 000005
【図４】
0003591666.tif 000006
【図５】
0003591666.tif 000007